(57)【要約】      （修正有）【課題】常備薬を容易に携帯してメヂカルケアーをスマートに管理でき、しかもファッション性を楽しみ且つ利便性と適応性を高めたお薬携帯ポーチを提供する。【解決手段】ベース地１００の裏面に裏地を配設して四つ折り畳み及び展開開放可能にし、裏地における各折り畳み部に透明又は半透明のクリアーポケットを配置し、各クリアーポケットは下部を裏地に縫い付け上部と裏地との間をスライドファスナーにより連結し、ベース地と裏地の周縁部と各クリアーポケット及び各スライドファスナーの両側部を縁取りリボンＶにより縁取りし、ベース地の最上の一段目の折り畳み部１１０ｆの表面に授面ファスナーを有する折り畳保持・展開ベルト３００を接続し、二段目の折り畳み部１２０ｆの表面に折り畳保持・展開ベルトの授面ファスナーと接合可能に受面ファスナー３０２を配置した。【選択図】図１
0003206087.tif 000002
【実用新案登録請求の範囲】
【請求項１】
ベース地の裏面に裏地を配設して四つ折り畳み及び展開開放可能にし、前記裏地における各折り畳み部に透明又は半透明のクリアーポケットを配置し、前記各クリアーポケットは下部を裏地に縫い付け上部と裏地との間をスライドファスナーにより連結し、前記ベース地と前記裏地の周縁部と前記各クリアーポケット及び各スライドファスナーの両側部を縁取りリボンにより縁取りし、前記ベース地の最上の一段目の折り畳み部の表面に授面ファスナーを有する折り畳保持・展開ベルトを接続し、二段目の折り畳み部の表面に前記折り畳保持・展開ベルトの授面ファスナーと接合可能に受面ファスナーを配置したことを特徴とするお薬携帯ポーチ。
【請求項２】
前記折り畳保持・展開ベルトに壁掛け具を設けたことを特徴とする請求項１に記載のお薬携帯ポーチ。
【請求項３】
前記スライドファスナーのスライダーにリボンを結んだことを特徴とする請求項１又は請求項２に記載のお薬携帯ポーチ。
【請求項４】
前記一段目の折り畳み部のクリアーポケット内に朝カードを、二段目の折り畳み部のクリアーポケットに昼カードを、三段目の折り畳み部のクリアーポケットに夜カードを、四段目の折り畳み部のクリアーポケットに寝る前カードを各々挿出入自在に装入したことを特徴とする請求項１〜３の何れか一つに記載のお薬携帯ポーチ。
【考案の詳細な説明】
【技術分野】
【０００１】  本考案は、お薬携帯ポーチに関するものである。
【背景技術】
【０００２】  患者に渡される薬剤は、複数種に及ぶことがあり、一般には薬剤包袋内に一緒にして収納されている。これを患者が医師の指示通りに、指定された時に、指定された薬剤を服用するようにしている。【０００３】前記薬剤包袋には、一般に治療期間に服用が必要とされる複数種の薬剤が一緒に収納されているため、薬を飲む時は主に袋から取り出し、１回の必要分だけを分けていたが、薬の種類が多く特にその時々で異なる薬を服用する場合、誤飲したり、飲み忘れをすることがある。【０００４】  特に、患者自身が日々の薬剤服用管理をすることができない高齢者や痴呆症の患者にとって、複数種の薬剤を、医師の指示通り、定められた時間に指定された薬剤を正しく服用することが難しく、飲み忘れや飲み間違いをきたすことがある。【０００５】このような飲み忘れや飲み間違いを解消するため、特許文献１では、図４の（１）に示すように、当該患者の１回に服用する薬剤を予め小分けし、小分け毎に透明な本体の袋（１）に入れ、この袋（１）にファスナー（２）とフック（３）を設け、且つ曜日（４）と時間帯（５）を印刷表示した医療業務用とする内用薬服薬管理袋が紹介されている。この内用薬服薬管理袋は、１回ずつの服用薬剤を収納する袋を用意するようにしているので、製作に手数が掛かるとともに、内用薬服薬管理袋が多量となり、その置く場所などによっては、図４の（２）に示すようにフック掛けするが一見して見分けにくく、識別力が衰えている患者にとって正しく管理しにくい。【０００６】又特許文献２は、図５に示すように、本体（１）の一部または全体に夜間用マーク（４）を施し、カーブガイド（３）を持つ小間（２）を複数個設ける、小間（２）は透明度を持つ素材のフロント（５）より内容物を確認できる、またハンガー（６）にかき消し可能な筆記具でメモ書き可能なスペースを設けた報薬剤等の習慣化及び管理用ケースが紹介されている。
このケースは、医療業務用として特にナースステーション等で活用されるものであり、夜間暗い室内でも、従来軟質素材のクリアーポケットでは取り出しにくかった薬剤等を小間より取り出そうとするものである。【０００７】又特許文献３は、図６に示すように、吊り下げ可能とした合成樹脂からなる台紙１に、内部に収納した複数の薬剤を透視でき、上部が開口した襠付きクリアーポケット２を横方向１列状に１日分を収納できるようにして配設するとともに、縦方向には該襠付きクリアーポケットを、その底部が下方の襠付きクリアーポケット内に一部重なるように１週間分を朝、昼、夜と、曜日毎に区分して収納して配列配置し、前記横方向１列状に配列した１日分の襠付きクリアーポケット２を、当該患者の服用時間帯毎に台紙１と融着して仕分けるように構成した報薬剤の服用管理袋が紹介されている。【０００８】特許文献４は、図７に示すように、壁掛け式のボード１００上に行列状に配された複数の区画２１を定義し、各行の見出しとして曜日表示２２、各列の見出しとして服用時間帯表示２３を設ける。個々の区画２１には、１回分の服用薬を収容するための収容袋５０が着脱自在のテープによって取り付けられる。収容袋５０は透明であり、空になると、ボード１００に描かれている「服用済」のマークが視認できるようになる。服用時間帯表示２３には、「朝・昼・夜」の食事時間帯を示す主見出しとともに「食前／食後」の別を示すための副見出しが設けられ、副見出しの一方を抹消して用いる医薬品の服用予定管理用具が紹介されている。【０００９】特許文献５は、図８に示すように、四角で大きさ縦５００ｍｍ以上＊横３５０ｍｍ以上の形をしていて、薬一錠・薬一包又は薬一包化を入れる大きさ縦４０ｍｍ以上＊横７０ｍｍ以上のマチ付∪形袋３１〜５８と、吊り下げひも４と、月管理を記入する記入欄２と、大きさ縦４０ｍｍ以上、横７０ｍｍ以上の薬手帳を入れる袋３と、大きさ縦４０ｍｍ以上横７０ｍｍ以上の薬服用者がわかる氏名を入れる袋５と、薬を飲む時間帯（朝・昼・夜・寝る前）を記入する記入欄６と、薬を飲む曜日（月曜日から日曜日）を記入する記入欄７，９，１１，１３，１５，１７，１９とを有している。これにより患者自身や関係者もすぐ服用状態が判るようになっている薬日常管理袋が紹介されている。【００１０】  前記特許文献２〜５は、その何れも医療業務用として特にナースステーション等で活用されるものであり、大型で立体的な複雑構成のケース・袋・用具のため、その製作に多大な手間と費用が掛かり、しかも携帯には折り畳みもできず全く不向きで利便性に欠ける。
因みに最近の医療業務用の薬日常管理には、コンピュータによる大規模な投薬システムが開発されており、一般家庭には、上記投薬システムから一週間分のお薬を紙製の薬剤包袋にまとめて収容して繰り出されるため、前述した薬の誤飲や飲み忘れは依然として解消されない。
【先行技術文献】
【特許文献】
【００１１】
【特許文献１】特開２００１−１７５１５号公報（審査未請求みなし取り下げ）
【特許文献２】特開２００２−２８２３３７号公報（審査未請求みなし取り下げ）
【特許文献３】特開２００３−５２７９３号公（審査未請求みなし取り下げ）
【特許文献４】実用新案登録第３０２４１８０号公報平成（１３年１０月２１日権利消滅）
【特許文献５】実用新案登録第３２０２３８２号公報（２０１６年６月５日現在権利存続）
【考案の開示】
【考案が解決しようとする課題】
【００１２】  本考案は、一般家庭などにおける薬の日常管理の実情に着目して、誰もが一日に管理する常備薬を容易に携帯してメヂカルケアーをスマートに管理でき、しかも合理的な製作を可能にしながらも、ファッション性を楽しみ且つ利便性と適応性を高めたお薬携帯ポーチを提供するものである。
【課題を解決するための手段】
【００１３】  本考案は、このような課題を満足するためになされたものであり、その特徴は次の（１）〜（４）の通りである。【００１４】（１）、ベース地の裏面に裏地を配設して四つ折り畳み及び展開開放可能にし、前記裏地における各折り畳み部に透明又は半透明のクリアーポケットを配置し、前記各クリアーポケットは下部を裏地に縫い付け上部と裏地との間をスライドファスナーにより連結し、前記ベース地と前記裏地の周縁部と前記各クリアーポケット及び各スライドファスナーの両側部を縁取りリボンにより縁取りし、前記ベース地の最上の一段目の折り畳み部の表面に授面ファスナーを有する折り畳保持・展開ベルトを接続し、二段目の折り畳み部の表面に前記折り畳保持・展開ベルトの授面ファスナーと接合可能に受面ファスナーを配置したことを特徴とするお薬携帯ポーチ。
（２）、前記折り畳保持・展開ベルトに壁掛け具を設けたことを特徴とする前記（１）に記載のお薬携帯ポーチ。
（３）、前記スライドファスナーのスライダーにリボンを結んだことを特徴とする前記（１）又は（２）に記載のお薬携帯ポーチ。
（４）、前記一段目の折り畳み部のクリアーポケット内に朝カードを、二段目の折り畳み部のクリアーポケットに昼カードを、三段目の折り畳み部のクリアーポケットに夜カードを、四段目の折り畳み部のクリアーポケットに寝る前カードを各々挿出入自在に装入したことを特徴とする前記（１）〜（３）の何れか一つに記載のお薬携帯ポーチ。
【考案の効果】
【００１５】  本考案のお薬携帯ポーチは、前記合理的な構成により次の１〜５の優れた作用効果を呈する。
１．極めて簡単な構成なため製作工程が少なく安価であり且つ丈夫である。
２．ベース地の表面にお好みの図柄、配色、文字などの可愛いデザインを配し、四つに折    り畳んで折り畳保持・展開ベルトでコンパクトに保持すれば、オシャレでファッショ    ン性豊かな素敵な癒しの携帯“お薬携帯ポーチ”として楽しめる。
３．利用に際しては、さりげなくポーチを開きリボン付のスライドファスナーで簡単容易    に開閉すればお薬を人目につかず服用することができる。
４．クリアーポケット内のお薬が一目瞭然で間違い防止となる。
５．各クリアーポケットに何時飲むかを表示のカードが装入してあるため飲み忘れを防止    する。
【図面の簡単な説明】
【００１６】
【図１】本考案のお薬携帯ポーチの正面説明図であり、（１）〜（５）はベース地の表面にデザインした絵柄の例を紹介してある。
【図２】図１の（１）に示す「お薬携帯ポーチ」の背面説明図であり、ポーチの内側の詳細説明図である。
【図３】図１の（１）と図２に示すお薬携帯ポーチの四つ折り畳の状態を示す説明図である。
【図４】特許文献１（従来例１）を示す説明図である。
【図５】特許文献２（従来例２）を示す説明図である。
【図６】特許文献３（従来例３）を示す説明図である。
【図７】特許文献４（従来例４）を示す説明図である。
【図８】特許文献５（従来例５）を示す説明図である。
【考案を実施するための形態】
【００１７】本考案を実施するための形態は、実施例（：具体例）により詳細に説明する。
【実施例】
【００１８】  図１〜図３において、本例のお薬携帯ポーチＰは、樹脂製又は植物繊維製の繊布又は不繊布で作成したベース地１００と裏地２００の全円周部を縁取りリボンＶにより縫製し、上から四つの段の折り畳み部１１０ｆ〜１４０ｆを有する。
ベース地１００の表面には図１の（１）〜（５）に示すようにお好みの図柄、配色、文字などの可愛いデザイン１０１〜１０５を配し、最上の一段目の折り畳み部１１０ｆの表面に折り畳保持・展開ベルト３００を接続し、畳保持・展開ベルト３００の背面に授面ファスナー３０１を設ける。
二段目の折り畳み部１２０ｆの表面に前記折り畳保持・展開ベルト３００の授面ファスナー３０１と接合可能に受面ファスナー３０２を配置し、図３に示すように四つに折り畳んで折り畳保持・展開ベルト３００でコンパクトに保持すればオシャレでファッション性豊かな素敵な癒しの“お薬携帯ポーチ”として楽しめる。【００１９】前記授面ファスナー３０１、受面ファスナー３０２はいずれも微細なループとフックを併設したものであるが、授面ファスナー３０１を微細ループのみにし、受面ファスナー３０２を微細フックにし、或いはこの逆の関係にしても一向に差し支えない。【００２０】前記畳保持・展開ベルト３００には、図２に示すようにお薬携帯ポーチの裏地２００側を開放展開して壁掛けにする為の、はと目式壁掛け具３０３を設けてある。【００２１】  前記裏地２００は、各折り畳み部１１０ｆ〜１４０ｆに、薬を入れる透明又は半透明のクリアーポケット４０１〜４０４を配置する。
前記各クリアーポケット４０１〜４０４は、下部を裏地２００に縫い付け上部と裏地２００との間をスライドファスナー５０１〜５０４により縫製連結してあり、薬を飲むタイミング表示として、一段目の折り畳み部１１０ｆのクリアーポケット４０１に朝カード６０１を、二段目の折り畳み部１２０ｆのクリアーポケット４０２に昼カード６０２を、三段目の折り畳み部１３０ｆのクリアーポケット４０３に夜カード６０３を、四段目の折り畳み部１４０ｆのクリアーポケット４０４に寝る前カード６０４を各々挿出入自在に装入してある。【００２２】  スライドファスナー５０１〜５０４は、スライダーＳ１〜Ｓ４を有する樹脂ファスナー、金属ファスナー、ビスロンファスナー等でよく、各スライダーＳ１〜Ｓ４に四色のリボン５０１ｒ〜５０４ｒを付設して開閉し易くしてデザインしてある。図２ではスライダーＳ１〜Ｓ４でスライドファスナー５０１〜５０４を開状態にして示す。【００２３】  前記ベース地１００と前記裏地２００との縁取りリボンＶは、前記各クリアーポケット４０１〜４０４及び各スライドファスナー５０１〜５０４の両側部も併せて縁取り縫製してポケット域のサイドを確保してある。
【産業上の利用可能性】
【００２４】  本考案は、前述した優れた作用効果を呈するため、一般家庭は勿論、投薬医療産業界に貢献すること多大なものがある。
【符号の説明】
【００２５】  Ｐ：お薬携帯ポーチ
Ｓ１〜Ｓ４：スライダー
Ｖ：縁取りリボン
１００：ベース地
２００：裏地
１０１：デザイン
１１０ｆ〜１４０ｆ：一段目〜四段目の折り畳み部
３００：折り畳保持・展開ベルト
３０１：授面ファスナー
３０２：受面ファスナー
３０３：はと目式壁掛け具
４０１〜４０４：クリアーポケット
５０１〜５０４：スライドファスナー
５０１ｒ〜５０４ｒ：リボン
６０１〜６０４：朝カード〜寝る前カード
【図１】
0003206087.tif 000003
【図２】
0003206087.tif 000004
【図３】
0003206087.tif 000005
【図４】
0003206087.tif 000006
【図５】
0003206087.tif 000007
【図６】
0003206087.tif 000008
【図７】
0003206087.tif 000009
【図８】
0003206087.tif 000010